(57)【要約】【課題】緊急度の高い受信データを受信した場合に、規定時間内に表示機器に受信データに基づく情報を表示できるようにする。【解決手段】路上器３０から緊急度の高い受信データを受信したことを判定した場合、受信データのデータ量と表示機器との間のデータ転送レートに基づいて規定時間内に受信データに基づく情報を表示機器に表示させることが可能か否かを判定し（Ｓ２０４）、規定時間内に表示させることが不可能であると判定された場合、規定時間内に受信データに基づく情報を表示機器に表示させることが可能となるように受信データを加工し（Ｓ２１０）、表示機器へ送信する（Ｓ２１６）。【選択図】図５
2008288675.tif 000002
【特許請求の範囲】
【請求項１】
路上器から無線送信されるデータを受信し、車載ＬＡＮを介して接続された表示機器に前記受信データに基づく情報を表示させる車載無線受信装置であって、
前記表示機器との間のデータ転送レートを周期的に監視して記憶手段に記憶する転送速度記憶手段と、
前記路上器から緊急度の高い受信データを受信したことを判定した場合、前記受信データのデータ量と前記記憶手段に記憶された前記データ転送レートに基づいて規定時間内に前記受信データに基づく情報を前記表示機器に表示させることが可能か否かを判定する判定手段と、
前記判定手段により前記規定時間内に前記受信データに基づく情報を前記表示機器に表示させることが不可能であると判定された場合、前記規定時間内に前記受信データに基づく情報を前記表示機器に表示させることが可能となるように前記受信データを加工するデータ加工手段と、
前記データ加工手段によって加工されたデータを前記表示機器へ送信する第１の送信手段と、を備えたことを特徴とする車載無線受信装置。
【請求項２】
前記データ加工手段は、前記規定時間内に前記表示機器に表示させることが可能なデータ量以下となるように前記受信データから文字データを優先的に抽出したデータを生成することを特徴とする請求項１に記載の車載無線受信装置。
【請求項３】
前記データ加工手段は、前記規定時間内に前記表示機器に表示させることが可能なデータ量以下となるように表示画面のフレームレートを低下させたデータを生成することを特徴とする請求項１に記載の車載無線受信装置。
【請求項４】
前記データ加工手段は、前記規定時間内に前記受信データに基づく情報を前記表示機器に表示させることが可能なデータ量以下となるようにより解像度の低い表示モードに変換したデータを生成することを特徴とする請求項１に記載の車載無線受信装置。
【請求項５】
前記データ加工手段は、前記規定時間内に前記表示機器に表示させることが可能なデータ量以下となるように前記受信データを圧縮したデータを生成することを特徴とする請求項１に記載の車載無線受信装置。
【請求項６】
前記表示機器と通信するための複数のインタフェースを備え、
前記転送速度記憶手段は、前記複数のインタフェースに対してデータ転送レートを周期的に監視して記憶手段に記憶し、
前記第１の送信手段は、前記複数のインタフェースのうち、前記記憶手段に記憶された前記データ転送レートの最低値が最も高いインタフェースを用いて前記受信データを転送することを特徴とする請求項１ないし５のいずれか１つに記載の車載無線受信装置。
【請求項７】
前記第１の送信手段による加工データの転送が終了した後、再度、前記データ加工手段により加工される前の前記受信データを前記表示機器へ送信する第２の送信手段を備えたことを特徴とする請求項１ないし６のいずれか１つに記載の車載無線受信装置。
【請求項８】
ハイレベルまたはローレベルのレベル信号を前記表示機器へ送出するためのレベルインタフェースを備え、
前記路上器から緊急度の高い受信データを受信したことを判定した場合、前記レベルインタフェースを介して前記レベル信号を送信して前記表示機器に警告表示させることを特徴とする請求項１ないし７のいずれか１つに記載の車載無線受信装置。
【発明の詳細な説明】
【技術分野】
【０００１】
本発明は、路上器から無線送信されるデータを受信し、車載ＬＡＮを介して接続された表示機器に受信データに基づく情報を表示させる車載無線受信装置に関する。
【背景技術】
【０００２】
従来、ＥＴＣ車載器からの情報を受信する情報収集用路側機と、この情報収集用路側機により受信された情報からＥＴＣ車載器を搭載した車両の走行区間と走行時刻を特定するとともにこれらの車両の走行区間と走行時刻に基づいて交通情報を生成する情報センタ管理装置と、この管理装置により生成された交通情報をＤＳＲＣ車載器へ配信する情報配信用路側機を備えた路車間通信システムがある（例えば、特許文献１参照）。
【特許文献１】特開２００６−２０２１９９号公報
【発明の開示】
【発明が解決しようとする課題】
【０００３】
特許文献１に記載されたシステムでは、情報配信用路側機から交通情報が配信されるようになっているが、このような情報配信用路側機から交通情報以外の情報、例えば、ニュースや宣伝等の快適利便系の情報や走行先の交差点内を監視カメラで撮影した画像等の緊急度の高い情報を配信することも可能である。
【０００４】
そこで、情報配信用路側機から配信される情報を、車両に搭載されたＤＳＲＣ車載器により受信し、このＤＳＲＣ車載器と車載ＬＡＮを介して接続された表示機器に表示させる構成が考えられる。
【０００５】
しかし、このようにＤＳＲＣ車載器と表示機器とが車載ＬＡＮを介して接続される構成では、車載ＬＡＮのトラフィック状況によってＤＳＲＣ車載器と表示機器との間のデータ転送レートが変動するため、例えば、車載ＬＡＮのデータ転送レートが低い場合や、情報配信用路側機から配信される受信データにデータ量の大きな動画像が含まれている場合、ＤＳＲＣ車載器から表示機器にデータを転送するのに遅延が生じ、規定時間（例えば、１秒）内に受信データに基づく情報を表示機器に表示させることができなくなるといった状況が生じる。
【０００６】
本発明は上記点に鑑みたもので、緊急度の高い受信データを受信した場合に、規定時間内に表示機器に受信データに基づく情報を表示できるようにすることを目的とする。
【課題を解決するための手段】
【０００７】
本発明の第１の特徴は、路上器から無線送信されるデータを受信し、車載ＬＡＮを介して接続された表示機器に受信データに基づく情報を表示させる車載無線受信装置であって、表示機器との間のデータ転送レートを周期的に監視して記憶手段に記憶する転送速度記憶手段と、路上器から緊急度の高い受信データを受信したことを判定した場合、受信データのデータ量と記憶手段に記憶されたデータ転送レートに基づいて規定時間内に受信データに基づく情報を表示機器に表示させることが可能か否かを判定する判定手段と、判定手段により規定時間内に受信データに基づく情報を表示機器に表示させることが不可能であると判定された場合、規定時間内に受信データに基づく情報を表示機器に表示させることが可能となるように受信データを加工するデータ加工手段と、データ加工手段によって加工されたデータを表示機器へ送信する第１の送信手段と、を備えたことである。
【０００８】
このような構成では、規定時間内に受信データに基づく情報を表示機器に表示させることが不可能であると判定された場合、規定時間内に受信データに基づく情報を表示機器に表示させることが可能となるように受信データを加工し、この加工されたデータが表示機器へ送信されるので、緊急度の高い受信データを受信した場合に、規定時間内に表示機器に受信データに基づく情報を表示することができる。
【０００９】
また、本発明の第２の特徴は、データ加工手段が、規定時間内に表示機器に表示させることが可能なデータ量以下となるように受信データから文字データを優先的に抽出したデータを生成することである。
【００１０】
このような構成では、規定時間内に表示機器に表示させることが可能なデータ量以下となるように受信データから文字データを優先的に抽出したデータが表示機器へ送信される。すなわち、比較的データ量の小さな文字データを優先的に抽出して生成されたデータが表示機器へ送信されるので、規定時間内に受信データから抽出された文字データを優先的に表示機器に表示させることが可能である。
【００１１】
また、本発明の第３の特徴は、データ加工手段が、規定時間内に表示機器に表示させることが可能なデータ量以下となるように表示画面のフレームレートを低下させたデータを生成することである。
【００１２】
このような構成では、規定時間内に表示機器に表示させることが可能なデータ量以下となるように表示画面のフレームレートを低下させたデータが表示機器へ送信されるので、規定時間内に受信データに含まれる画像データを表示機器に表示させることが可能である。
【００１３】
また、本発明の第４の特徴は、データ加工手段が、規定時間内に表示機器に表示させることが可能なデータ量以下となるようにより解像度の低い表示モードに変換したデータを生成することである。
【００１４】
このような構成では、規定時間内に表示機器に表示させることが可能なデータ量以下となるようにより解像度の低い表示モードに変換されたデータが表示機器へ送信されるので、規定時間内に受信データに基づく情報を表示機器に表示させることが可能である。
【００１５】
また、本発明の第５の特徴は、データ加工手段が、規定時間内に表示機器に表示させることが可能なデータ量以下となるように受信データを圧縮したデータを生成することである。
【００１６】
このような構成では、規定時間内に表示機器に表示させることが可能なデータ量以下となるように受信データを圧縮したデータが表示機器へ送信されるので、規定時間内に受信データに基づく情報を表示機器に表示させることが可能である。
【００１７】
また、本発明の第６の特徴は、表示機器と通信するための複数のインタフェースを備え、転送速度記憶手段は、複数のインタフェースに対してデータ転送レートを周期的に監視して記憶手段に記憶し、第１の送信手段は、複数のインタフェースのうち、記憶手段に記憶されたデータ転送レートの最低値が最も高いインタフェースを用いて受信データを転送することである。
【００１８】
このような構成では、複数のインタフェースのうち、記憶手段に記憶されたデータ転送レートの最低値が最も高いインタフェースを用いて受信データが転送されるので、信頼性の高いインタフェースを用いて受信データを転送することができる。
【００１９】
また、本発明の第７の特徴は、第１の送信手段による加工データの転送が終了した後、再度、データ加工手段により加工される前の受信データを表示機器へ送信する第２の送信手段を備えたことである。
【００２０】
このような構成では、加工データの転送が終了した後、再度、加工される前の受信データが表示機器へ送信されるので、加工データの転送が終了した後、正規の情報を表示させることが可能である。
【００２１】
また、本発明の第８の特徴は、ハイレベルまたはローレベルのレベル信号を表示機器へ送出するためのレベルインタフェースを備え、路上器から緊急度の高い受信データを受信したことを判定した場合、レベルインタフェースを介してレベル信号を送信して表示機器に警告表示させることである。
【００２２】
このように、ハイレベルまたはローレベルのレベル信号を表示機器へ送出するためのレベルインタフェースを介して表示機器に警告表示させることもできる。
【発明を実施するための最良の形態】
【００２３】
本発明の一実施形態に係る車載無線装置、表示機器および路上器の全体構成を図１に示す。本実施形態に係る車載無線装置は、ＤＳＲＣ車載器１０として構成されている。ＤＳＲＣ車載器１０は車両に搭載され、路上に設置されたＤＳＲＣ路上器３０とＤＳＲＣ（狭域通信）による無線通信を行う。また、ＤＳＲＣ車載器１０は、車内ＬＡＮを介して接続された表示機器２０と通信するようになっている。
【００２４】
ＤＳＲＣ路上器３０から送信される情報には、ニュースや宣伝等の快適利便系の情報と走行先の交差点内を監視カメラで撮影した画像等の緊急度の高い安全系の情報とがある。
【００２５】
図２に、ＤＳＲＣ車載器１０と表示機器２０の構成を示す。ＤＳＲＣ車載器１０は、ＤＳＲＣ通信部１１、カードリーダ部１２、メモリ部１３、音声出力部１４、表示部１５、外部機器通信部１６およびインタフェース部（図中では、ＩＦ部と記す）１７ａ、１７ｂ、１７ｃおよび制御部１８を備えている。
【００２６】
ＤＳＲＣ通信部１１は、ＤＳＲＣ路上器３０から無線送信されるデータを復調して制御部１８へ送出する処理や、制御部１８からのデータを変調してＤＳＲＣ路上器３０へ無線送信する処理を行う。
【００２７】
カードリーダ部１２は、データ記憶カード（例えば、ＥＴＣカード）を挿入するカード挿入口を備え、このカード挿入口に挿入されたデータ記憶カードからのデータの読み出しおよびデータ記憶カードへのデータの書き込みを行う。
【００２８】
メモリ部１３は、ＲＡＭ、ＲＯＭおよびフラッシュメモリによって構成されている。
【００２９】
音声出力部１４は、制御部１８から入力される音声信号に応じた音声を出力する。
【００３０】
表示部１５は、液晶等の小型ディスプレイを有し、制御部１８から入力される信号に応じた内容を小型ディスプレイに表示させる。
【００３１】
外部機器通信部１６は、インタフェース部１７ａ、１７ｂ、１７ｃを介して接続される外部機器と通信するための各種プロトコル制御等を行う。
【００３２】
本実施形態におけるインタフェース部１７ａには、高速通信が可能なＵＳＢ通信のためのＵＳＢコネクタが接続され、インタフェース部１７ｂには、信頼性の高いＣＡＮ通信のためのＣＡＮコネクタが接続され、インタフェース部１７ｃには、オーディオ系ＬＡＮ規格であるＡＶＣ−ＬＡＮ通信のためのＬＡＮコネクタが接続される構成となっている。なお、ＵＳＢ通信、ＣＡＮ通信、ＡＶＣ−ＬＡＮ通信のいずれも車両に搭載された他の外部機器とバスを共有するため、通信状況に応じてデータ転送レートが変動する。
【００３３】
制御部１８は、ＣＰＵ、Ｉ／Ｏ等を備えたコンピュータとして構成されており、ＣＰＵは、メモリ部１３のＲＯＭに記憶されたプログラムに従って各種処理を行う。
【００３４】
制御部１８の処理としては、ＤＳＲＣ通信部１１を介して料金所のゲートに設置されたＤＳＲＣ路上器３０との間で有料道路の料金収受のためのデータの送受信を行い、音声出力部１４および表示部１５から課金情報を報知する処理がある。
【００３５】
一方、表示機器２０は、メモリ部２１、記憶媒体２２、音声出力部２３、表示部２４、外部機器通信部２５、インタフェース２６ａ、２６ｂおよび制御部２７を備えている。
【００３６】
メモリ部２１は、データを一時的に記憶するためのＲＡＭおよびプログラムを記憶するＲＯＭによって構成されている。
【００３７】
記憶媒体２２は、不揮発性メモリであるフラッシュメモリによって構成されている。
【００３８】
音声出力部２３は、制御部２７から入力される音声信号に応じた音声を出力する。
【００３９】
表示部２４は、液晶等のディスプレイを有し、制御部２７から入力される信号に応じた内容をディスプレイに表示させる。このディスプレイは、カメラ画像等を表示できる程度の大きさとなっている。
【００４０】
外部機器通信部２５は、インタフェース部２６ａ、２７ｂを介して接続される外部機器と通信するための各種プロトコル制御等を行う。
【００４１】
インタフェース部２６ａには、ＵＳＢ通信のためのＵＳＢコネクタが接続され、インタフェース部２７ｂには、ＣＡＮ通信のためのＣＡＮコネクタが接続されるようになっている。
【００４２】
本実施形態におけるＤＳＲＣ車載器１０と表示機器２０との間は、ＵＳＢとＣＡＮの２系統の車内ＬＡＮを介して接続されている。
【００４３】
本実施形態におけるＤＳＲＣ車載器１０の制御部１８は、各インタフェース部１７ａ、１７ｂを介して接続された表示機器２０との間のデータ転送レートを周期的に測定して記憶媒体２２に記憶する転送速度記憶処理を実施する。
【００４４】
次に、図３に従って、この転送速度記憶処理について説明する。制御部１８は、最初に、インタフェース部１７ａを介して接続される経路について図３に示す処理を実施する。
【００４５】
まず、ＤＳＲＣ車載器１０と表示機器２０との間のデータ転送レートを測定する（Ｓ１００）。具体的には、外部機器通信部１６に、表示機器２０へ転送速度測定用疑似データを送信させるとともに、この転送速度測定用疑似データに応答して表示機器２０から返信されるＡＣＫを受信させ、転送速度測定用疑似データを送信してからＡＣＫを受信するまでの時間差に基づいてデータ転送レートを測定する。本実施形態では、ＤＳＲＣ車載器１０から表示機器２０方向のデータ転送レートと、表示機器２０からＤＳＲＣ車載器１０方向のデータ転送レートが同一であるものとしてデータ転送レートを算出する。
【００４６】
次に、測定したデータ転送レートをメモリ部１３に記憶する（Ｓ１０２）。具体的には、経路毎に測定したデータ転送レートを測定した日時とともにメモリ部１３に記憶する。
【００４７】
次に、優先度をメモリ部１３に記憶する（Ｓ１０４）。具体的には、メモリ部１３に記憶された過去のデータ転送レートに基づいて、データ転送レートの最低値の高い経路から順に優先度を付与し、メモリ部１３に記憶する。
【００４８】
図４（ａ）〜（ｃ）に、データ転送レートの測定例を示す。縦軸はデータ転送レート、横軸は時間である。データ転送レートの最低値は（３）が最も高く、（２）、（１）の順に小さくなっている。このようなケースでは、（３）、（２）、（１）の順に優先度が付与され、メモリ部１３に記憶される。
【００４９】
次に、制御部１８は、インタフェース部１７ｂを介して接続される経路についてＳ１００〜Ｓ１０４に示した処理を実施する。
【００５０】
このようにして、転送速度記憶処理が定期的に実施され、インタフェース毎に測定されたデータ転送レートと優先度がメモリ部１３に記憶される。
【００５１】
次に、図５に従って、ＤＳＲＣ車載器１０の制御部１８の処理について説明する。車両がＤＳＲＣ路上器３０の通信エリア内に進入し、ＤＳＲＣ路上器３０から無線送信されるデータがＤＳＲＣ通信部１１によって受信されると、制御部１８は図５に示す処理を実施する。
【００５２】
まず、受信データの内容から緊急度の高い受信データを受信したか否かを判定する（Ｓ２００）。受信データには、緊急度の高いデータであるか、あるいは緊急度の低いデータであるかを識別するための識別情報が含まれており、この識別情報に基づいて緊急度の高い受信データを受信したか否かを判定する。
【００５３】
緊急度の低い受信データを受信した場合、Ｓ２００の判定はＮＯとなり、受信データをそのまま表示機器へ送信する（Ｓ２０２）。具体的には、予め定められたインタフェースを経由して受信データを表示機器２０へ送信し、本処理を終了する。
【００５４】
また、緊急度の高い受信データを受信した場合、Ｓ２００の判定はＹＥＳとなり、次に、規定時間（例えば、１秒）内に表示機器２０に表示させることが可能か否かを判定する（Ｓ２０４）。具体的には、転送速度記憶処理によってメモリ部１３に記憶された優先度の最も高いインタフェースのデータ転送レートと受信データのデータ量に基づいて、優先度の最も高いインタフェースを経由して受信データの転送を完了するまでの時間を算出する。なお、表示機器２０が受信データを受信してから表示するまでに要する時間が無視できない場合には、算出した受信データの転送を完了するまでの時間に表示機器２０が受信データを受信してから表示するまでに要する時間を加算する。そして、この時間と規定時間を比較して規定時間内に表示機器２０に表示させることが可能か否かを判定する。表示機器２０が受信データを受信してから表示するまでに要する時間は、予めメモリ部１３に記憶しておくことができるようになっている。
【００５５】
ここで、規定時間内に表示機器２０に表示させることが不可能であると判定された場合、次に、過去に同じデータを表示機器に送信したことがあるか否かを判定する（Ｓ２０６）。制御部１８は、受信データを表示機器２０へ送信すると、送信したデータに識別番号を付与して履歴をメモリ部１３に記憶するようになっており、このメモリ部１３に記憶された履歴を参照して過去に同じデータを表示機器に送信したことがあるか否かを判定する。
【００５６】
なお、制御部１８は、受信データを表示機器２０へ送信する際に、識別番号を付与してデータ送信し、表示機器２０の制御部２７は、ＤＳＲＣ車載器１０から送信されるデータに基づく情報を表示部２４に表示させる際に、ＤＳＲＣ車載器１０から受信したデータを識別番号とともに記憶媒体２２に記憶するようになっている。
【００５７】
過去に同じデータを表示機器に送信したことがない場合、Ｓ２０６の判定はＮＯとなり、次に、送信方法を決定する（Ｓ２０８）。具体的には、データを送出するインタフェースを特定するとともに、このインタフェースを介して規定時間内に表示機器２０に表示できる最大データ量を算出する。
【００５８】
次に、受信データを加工する（Ｓ２１０）。先のＳ２０８にて算出した最大データ量以下となるように受信データを加工する。本実施形態では、最大データ量以下となるように受信データから文字データを優先的に抽出したデータを生成する。
【００５９】
例えば、「この先事故多発」といった文字データと、走行先の交差点のリアルタイムの動画像が受信データに含まれており、文字データのデータ量が最大データ量以下で、かつ、文字データと動画像を合わせたデータ量が最大データ量よりも大きい場合、受信データから文字データのみを抽出したデータを生成する。
【００６０】
次に、第１段階情報送信を実施する（Ｓ２１２）。具体的には、最大データ量以下となるように加工されたデータをＳ２０８にて特定したインタフェースを介して表示機器２０へ送信する。
【００６１】
次に、このデータ送信が完了したか否かを判定し（Ｓ２１４）、データ送信が完了すると、次に、第２段階情報送信を実施する（Ｓ２１６）。具体的には、ＤＳＲＣ路上器３０から受信した受信データをそのまま表示機器２０へ送信する。
【００６２】
次に、このデータ送信が完了したか否かを判定し（Ｓ２１８）、データ送信が完了すると、本処理を終了する。
【００６３】
なお、表示機器２０の制御部２７は、第１段階情報送信により送信されたデータに基づく情報が表示部２４に表示させた後、第２段階情報送信により送信されたデータに基づく情報を表示部２４に表示させる。これにより、表示機器２０の表示部２４には、規定時間内に第１段階情報送信により送信されたデータに基づく情報が表示部２４に表示された後、第２段階情報送信により送信されたデータに基づく情報が表示部２４に表示される。例えば、快適利便系の情報が表示中の場合、図６（ａ）に示すように文字データが規定時間内にオンスクリーン表示された後、図６（ｂ）に示すように走行先の交差点のリアルタイムの動画像のオンスクリーン表示に切り替わる。なお、図６（ｂ）中には示されてないが走行先の交差点のリアルタイムの動画像に文字データが重ねて表示される。
【００６４】
また、Ｓ２０４にて規定時間内に表示機器２０に表示させることが不可能であると判定され、Ｓ２０６にて過去に同じデータを表示機器２０に送信したことがあると判定された場合、次に、過去に送信したデータと同一の情報を表示するように指示するコマンドを表示機器２０へ送信する（Ｓ２２０）。具体的には、表示機器２０に送信したデータの履歴を参照して表示させるデータの識別情報を特定し、この識別情報とともに表示を指示するコマンドを表示機器２０へ送信する。
【００６５】
なお、表示機器２０の制御部２７は、記憶媒体２２に記憶されたデータの中から、このコマンドとともに送信された識別番号に対応するデータを読み出して表示部２４に表示させる。
【００６６】
このように、過去に同じデータを表示機器２０に送信したことがある場合には、過去に送信したデータに対応する識別情報とともに表示を指示するコマンドを送信することにより、過去に送信したデータと同一の情報を表示機器２０に表示させることができる。
【００６７】
上記した構成によれば、規定時間内に受信データに基づく情報を表示機器に表示させることが不可能であると判定された場合、規定時間内に受信データに基づく情報を表示機器に表示させることが可能となるように受信データを加工し、この加工されたデータが表示機器へ送信されるので、緊急度の高い受信データを受信した場合に、規定時間内に表示機器に受信データに基づく情報を表示することができる。
【００６８】
また、規定時間内に表示機器に表示させることが可能なデータ量以下となるように受信データから文字データを優先的に抽出したデータが表示機器へ送信される。すなわち、比較的データ量の小さな文字データを優先的に抽出して生成されたデータが表示機器へ送信されるので、規定時間内に受信データから抽出された文字データを優先的に表示機器に表示させることが可能である。
【００６９】
また、複数のインタフェースのうち、メモリ部１３に記憶されたデータ転送レートの最低値が最も高いインタフェースを用いて受信データが転送されるので、信頼性の高いインタフェースを用いて受信データを転送することができる。
【００７０】
また、加工データの転送が終了した後、再度、加工される前の受信データが表示機器へ送信されるので、加工データの転送が終了した後、正規の情報を表示させることが可能である。
【００７１】
なお、本発明は上記実施形態に限定されるものではなく、本発明の趣旨に基づいて種々なる形態で実施することができる。
【００７２】
例えば、上記実施形態では、ＵＳＢ通信とＣＡＮ通信によりＤＳＲＣ車載器１０と表示機器２０との間の通信を行う例を示したが、これらの通信規格に限定されるものではなく、例えば、ＬＩＮ、ＩＤＢ１３９４や、ＡＶＣ−ＬＡＮ等の車両メーカ独自の通信規格等を利用して通信するようにしてもよい。また、ブルートゥース、無線ＬＡＮによりＤＳＲＣ車載器１０と表示機器２０との間の通信を行うようにしてもよい。
【００７３】
また、上記実施形態では、Ｓ１００において、ＤＳＲＣ車載器１０から表示機器２０方向のデータ転送レートと、表示機器２０からＤＳＲＣ車載器１０方向のデータ転送レートが同一であるものとして、データ転送レートを算出する例を示したが、方向別にデータ転送レートを測定してもよい。
【００７４】
また、上記実施形態では、ＤＳＲＣ車載器１０と表示機器２０とが複数の車内ＬＡＮを介して接続された場合の例を示したが、１つの車内ＬＡＮを介して接続された構成としてもよい。
【００７５】
また、上記実施形態では、Ｓ２１０にて、規定時間内に受信データに基づく情報を表示機器に表示させることが可能なデータ量以下となるように受信データから文字データを優先的に抽出したデータを生成する例を示したが、例えば、規定時間内に受信データに基づく情報を表示機器に表示させることが可能なデータ量以下となるように、表示画面のフレームレートを低下させたデータを生成するようにしてもよい。例えば、フレームレートを３０ｆｐｓから１５ｆｐｓに低下させたデータを生成するようにしてもよい。この場合、先にＳ２１２の第１段階情報送信にて、フレームレートを低下させたデータを送信した後、Ｓ２１６にて第２段階情報送信を実施して受信データをそのまま送信してもよい。
【００７６】
また、規定時間内に受信データに基づく情報を表示機器に表示させることが可能なデータ量以下となるようにより解像度の低い表示モードとなるように変換してもよい。例えば、解像度の高いＷＶＧＡからより解像度の低いＥＧＡに変換してもよい。この場合、先にＳ２１２の第１段階情報送信にて、解像度の低い表示モードに変換したデータを送信した後、Ｓ２１６にて第２段階情報送信を実施して受信データをそのまま送信してもよい。
【００７７】
また、規定時間内に受信データに基づく情報を表示機器に表示させることが可能なデータ量以下となるように受信データを圧縮したデータを生成するようにしてもよい。この場合、先にＳ２１２の第１段階情報送信にて、圧縮したデータを送信した後、Ｓ２１６にて第２段階情報送信を実施して受信データをそのまま送信してもよい。
【００７８】
また、例えば、交差点内を監視カメラで撮影した画像が含まれる緊急度の高い情報を受信した場合、規定時間内に受信データに基づく情報を表示機器に表示させることが可能なデータ量以下となるように、監視カメラの撮影画像の中心部を抽出したデータを生成するようにしてもよい。この場合、先にＳ２１２の第１段階情報送信にて、監視カメラの撮影画像の中心部を抽出したデータを送信した後、Ｓ２１６にて第２段階情報送信を実施して受信データをそのまま送信してもよい。
【００７９】
また、上記実施形態では、Ｓ２１２にて第１段階情報送信を実施して受信データから文字データのみを抽出した情報を送信した後、Ｓ２１６にて第２段階情報送信を実施して受信データをそのまま送信する例を示したが、例えば、Ｓ２１２にて第１段階情報送信を実施して受信データから文字データのみを抽出した情報を送信した後、第２段階情報送信を実施して静止画像を送信し、更に、第３段階情報送信を実施して動画像を送信するようにしてもよい。
【００８０】
また、上記実施形態では、車両に搭載された表示機器２０に受信データに基づく情報を表示させる例を示したが、例えば、ナビゲーション装置の表示部や車両のメータ内に設けられた表示部に受信データに基づく情報を表示させるようにしてもよい。
【００８１】
また、上記実施形態では、第１、第２段階情報送信を実施して車内ＬＡＮを介して接続された表示機器２０へ受信データに基づく情報を表示させる例を示したが、例えば、車両メータ内に表示部を設け、第１段階情報送信に基づく情報を車両メータ内に設けられた表示部に表示させ、第２段階情報送信に基づく情報を表示機器２０に表示させるようにしてもよい。
【００８２】
また、上記実施形態では、車内ＬＡＮを介して接続された表示機器２０へ受信データに基づく情報を表示させる例を示したが、更に、ハイレベルまたはローレベルのレベル信号を表示機器２０へ送出するためのレベルインタフェース（図示せず）を備え、ＤＳＲＣＤＳＲＣ路上器３０から緊急度の高い受信データを受信したことを判定した場合、レベルインタフェースを介してレベル信号を送信して表示機器２０に警告表示させるようにしてもよい。
【００８３】
なお、上記実施形態における構成と特許請求の範囲の構成との対応関係について説明すると、メモリ部１３が記憶手段に相当し、Ｓ１００、Ｓ１０２、Ｓ１０４が転送速度記憶手段に相当し、Ｓ２０４が判定手段に相当し、Ｓ２１０がデータ加工手段に相当し、Ｓ２１２、Ｓ２１４が第１の送信手段に相当し、Ｓ２１６、Ｓ２１８が第２の送信手段に相当する。
【図面の簡単な説明】
【００８４】
【図１】本発明の一実施形態に係る車載無線装置、表示機器および路上器の全体構成を示す図である。
【図２】ＤＳＲＣ車載器と表示機器の構成を示す図である。
【図３】ＤＳＲＣ車載器の制御部による転送速度記憶処理のフローチャートである。
【図４】データ転送レートの測定例を示す図である。
【図５】ＤＳＲＣ車載器の制御部の処理を示すフローチャートである。
【図６】（ａ）は、文字データがオンスクリーン表示された場合の表示例、（ｂ）は、動画像がオンスクリーン表示された場合の表示例を示す図である。
【符号の説明】
【００８５】
１０…ＤＳＲＣ車載器、１１…ＤＳＲＣ通信部、１２…カードリーダ部、
１３…メモリ部、１４…音声出力部、１５…表示部、１６…外部機器通信部、
１７ａ〜１７ｃ…インタフェース部、１８…制御部、２０…表示機器、
２１…メモリ部、２２…記憶媒体、２３…音声出力部、２４…表示部、
２５…外部機器通信部、２６ａ、２６ｂ…インタフェース、２７…制御部、
３０…路上器。 
【図１】
2008288675.tif 000003
【図２】
2008288675.tif 000004
【図３】
2008288675.tif 000005
【図４】
2008288675.tif 000006
【図５】
2008288675.tif 000007
【図６】
2008288675.tif 000008